(57)【要約】【課題】特定受信である旨を判別する際の制限がより少ない通信を実現することができる通信装置を提供すること目的とする。【解決手段】参照する画像データを複数記憶する画像データ記憶手段と、上記画像データ記憶手段に記憶したそれぞれの画像データについて、転送先の電子メールアドレスを記憶した転送先メールアドレス記憶手段を備え、上記ファクシミリ通信機能により画情報を受信すると、上記画像データ記憶手段に記憶したいずれかの上記画像データが、受信画情報の画像データに含まれているかどうかを検索し、当該検索により、いずれかの上記画像データが含まれていることが判明した場合には、当該画像データに対応して上記転送先メールアドレス記憶手段に記憶されている転送先の電子メールアドレスを読み出し、上記受信画情報を、電子メールを用いて上記読み出した電子メールアドレスの宛先へ送信するようにした。【選択図】        図１
2005341331.tif 000002
【特許請求の範囲】
【請求項１】
公衆網へ接続し、ファクシミリ通信手順を実行して相手端末との間で画情報をやりとりするファクシミリ通信機能と、ネットワークへ接続し、電子メールを用いて相手端末との間で種々の情報をやりとりする電子メール通信機能を備えた通信装置において、
参照する画像データを複数記憶する画像データ記憶手段と、
上記画像データ記憶手段に記憶したそれぞれの画像データについて、転送先の電子メールアドレスを記憶した転送先メールアドレス記憶手段を備え、
上記ファクシミリ通信機能により画情報を受信すると、上記画像データ記憶手段に記憶したいずれかの上記画像データが、受信画情報の画像データに含まれているかどうかを検索し、当該検索により、いずれかの上記画像データが含まれていることが判明した場合には、当該画像データに対応して上記転送先メールアドレス記憶手段に記憶されている転送先の電子メールアドレスを読み出し、上記受信画情報を、電子メールを用いて、上記読み出した電子メールアドレスの宛先へ送信することを特徴とする通信装置。
【請求項２】
前記検索により、いずれかの上記画像データが含まれていることが判明した場合には、その旨を表示出力するようにしたことを特徴とする請求項１記載の通信装置。
【請求項３】
音声再生手段をさらに備え、
前記検索により、いずれかの上記画像データが含まれていることが判明した場合には、その旨を通知する音声メッセージを上記音声再生手段より音声出力することを特徴とする請求項１または請求項２記載の通信装置。
【発明の詳細な説明】
【技術分野】
【０００１】
本発明は、公衆網へ接続し、ファクシミリ通信手順を実行して相手端末との間で画情報をやりとりするファクシミリ通信機能と、ネットワークへ接続し、電子メールを用いて相手端末との間で種々の情報をやりとりする電子メール通信機能を備えた通信装置に関する。
【背景技術】
【０００２】
従来、公衆網へ接続し、ファクシミリ通信手順を実行して相手端末との間で画情報をやりとりするファクシミリ通信機能と、ネットワークへ接続し、電子メールを用いて相手端末との間で種々の情報をやりとりする電子メール通信機能を備えたネットワークファクシミリ装置等の通信装置が実用されている。
【０００３】
このような通信装置では、通常、ファクシミリ通信機能により画情報を受信した場合、その受信画情報の受信原稿を記録出力する。したがって、重要でない受信原稿や必要でない受信原稿等も記録出力されるため、記録紙や記録手段に必要な記録材（例えば、トナーやインク等）が無用に消費されるという問題があった。
【０００４】
このような問題を解決するものとしては、例えば、特定の受信の場合には受信原稿を記録出力する一方、それ以外の受信の場合には、ユーザに記録出力の有無を確認して、必要なもののみを記録出力させるようにしたものが提案されている（特許文献１参照）。
【特許文献１】特開平５−２３６２３０号公報
【発明の開示】
【発明が解決しようとする課題】
【０００５】
このように、ファクシミリ通信機能において、特定の受信であるかどうかを識別する方法としては、例えば、ファクシミリ伝送前手順において、相手端末より受信する種々の伝送手順信号の情報を参照し、あらかじめ設定されている内容の情報を受信すると、特定の受信であると判別するような方法が採用されることが多い。
【０００６】
しかしながら、このような方法では、適用できる判別態様がある程度限定され、特に、メーカ固有の情報を用いる場合には、異なるメーカーの機械間では、適用できないという不具合を生じる。
【０００７】
本発明は、かかる実情に鑑みてなされたものであり、特定受信である旨を判別する際の制限がより少ない通信を実現することができる通信装置を提供すること目的とする。
【課題を解決するための手段】
【０００８】
本発明は、公衆網へ接続し、ファクシミリ通信手順を実行して相手端末との間で画情報をやりとりするファクシミリ通信機能と、ネットワークへ接続し、電子メールを用いて相手端末との間で種々の情報をやりとりする電子メール通信機能を備えた通信装置において、参照する画像データを複数記憶する画像データ記憶手段と、上記画像データ記憶手段に記憶したそれぞれの画像データについて、転送先の電子メールアドレスを記憶した転送先メールアドレス記憶手段を備え、上記ファクシミリ通信機能により画情報を受信すると、上記画像データ記憶手段に記憶したいずれかの上記画像データが、受信画情報の画像データに含まれているかどうかを検索し、当該検索により、いずれかの上記画像データが含まれていることが判明した場合には、当該画像データに対応して上記転送先メールアドレス記憶手段に記憶されている転送先の電子メールアドレスを読み出し、上記受信画情報を、電子メールを用いて、上記読み出した電子メールアドレスの宛先へ送信するようにしたものである。
【０００９】
また、前記検索により、いずれかの上記画像データが含まれていることが判明した場合には、その旨を表示出力するようにしたものである。
【００１０】
また、音声再生手段をさらに備え、前記検索により、いずれかの上記画像データが含まれていることが判明した場合には、その旨を通知する音声メッセージを上記音声再生手段より音声出力するようにしたものである。
【発明の効果】
【００１１】
したがって、本発明によれば、受信した受信画情報の画像データの内容そのものを参照して、当該受信を判別しており、この参照する画像データの内容は、その自由度が非常に大きいので、特定の受信である旨を識別する際の設定の自由度も大きく、また、容易に設定することができるという効果を得る。
【発明を実施するための最良の形態】
【００１２】
以下、添付図面を参照しながら、本発明の実施の形態を詳細に説明する。
【００１３】
図１は、本発明の一実施例にかかるネットワークシステムを示している。
【００１４】
同図において、ローカルエリアネットワークＬＡＮには、複数のワークステーション装置（パーソナルコンピュータ装置等のデータ処理装置（情報装置））ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１５】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１６】
また、ローカルエリアネットワークＬＡＮは、ルータ装置ＲＴを介して、インターネットへと接続され、それにより、ワークステーション装置ＷＳ１〜ＷＳｎ、メールサーバ装置ＳＭ、および、ネットワークファクシミリ装置ＦＸは、他のローカルエリアネットワーク等に接続されているホスト装置等との間で種々のデータのやりとりが可能である。
【００１７】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１８】
また、ネットワークファクシミリ装置ＦＸは、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行うファクシミリ通信機能を備えている。
【００１９】
図２は、ネットワークファクシミリ装置ＦＸの構成例を示している。
【００２０】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２１】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２２】
符号化復号化部８は、画信号を符号化圧縮するとともに、符号化圧縮されている画情報を元の画信号に復号化するためのものであり、磁気ディスク装置９は、符号化圧縮された状態の画情報、録音データ（後述）、および、それ以外の種々の情報を記憶するためのものである。
【００２３】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２４】
網制御装置１１は、このネットワークファクシミリ装置ＦＸをアナログ公衆回線網ＰＳＴＮに接続するためのものであり、自動発着信機能を備えている。
【００２５】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２６】
録音再生部１４は、ユーザへ通知する音声メッセージを録音および再生するためのものであり、音声メッセージの再生機能としては、あらかじめ登録されている音声メッセージの再生機能、録音メッセージの再生機能、および、文字列情報を入力して対応する発語の音声データを出力する音声合成機能を備えている。また、録音再生部１４には、録音音声を入力するためのマイク１５、および、再生音声を音響出力するためのスピーカ１６が設けられている。
【００２７】
これらの、システム制御部１、システムメモリ２、パラメータメモリ３、時計回路４、スキャナ５、プロッタ６、操作表示部７、符号化復号化部８、磁気ディスク装置９、グループ３ファクシミリモデム１０、網制御装置１１、ローカルエリアネットワーク伝送制御部１３、録音再生部１４は、内部バス１７に接続されており、これらの各要素間でのデータのやりとりは、主としてこの内部バス１７を介して行われている。
【００２８】
また、網制御装置１１とグループ３ファクシミリモデム１０との間のデータのやりとりは、直接行なわれている。
【００２９】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３０】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３１】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３２】
さて、本実施例では、受信した画情報の画像データに特定の画像データが含まれている場合には、当該画像データに設定されている転送先へ、その受信画情報を電子メールを用いて転送するようにしている。
【００３３】
このような転送機能のために、図３（ａ）に示すような参照情報テーブルを形成して、パラメータメモリ３または磁気ディスク装置９に保存している。
【００３４】
この参照情報テーブルは、当該参照情報テーブルに含まれる情報数（ｎ）、および、登録されたｎ個の参照情報からなる。それぞれの参照情報は、同図（ｂ）に示すように、参照情報を区別するための参照情報ＩＤ、使用する参照画データを指定するための参照画データ番号、受信画データに参照画データが含まれる場合に音声通知する方法等を指定するための応答音声情報、および、受信画データに参照画データが含まれる場合に、受信画情報を転送する宛先の電子メールアドレスをあらわす転送先電子メールアドレスが含まれる。
【００３５】
また、参照画データは、同図（ｃ）に示すような参照画データテーブルに格納される。この参照画データテーブルは、当該参照画データテーブルに含まれる情報数をあらわす登録数（ｍ）、および、ｍ個の参照画データからなる。また、それぞれの参照画データは、同図（ｄ）に示すように、おのおのの参照画データを識別するための画データ番号、当該参照画データの大きさをあらわす画像領域情報（縦横画素数）、および、画データの本体からなる。この参照画データテーブルは、情報量が大きいため、磁気ディスク装置９に保存される。
【００３６】
応答音声情報の一例を図４（ａ）に示す。それぞれの応答音声情報は、音声応答動作を行うか否かをあらわす使用フラグ、応答音声の種別をあらわす情報種別、および、適用される音声データの識別情報をあらわす登録音声番号／録音データ番号／読み上げデータ番号からなる。ここで、情報種別の内容は、あらかじめ登録されている登録音声データを使用する旨をあらわす「登録音声」、ユーザが録音した録音データを使用する旨をあらわす「録音」、または、ユーザが入力した文字列を音声合成により音声データとして出力する旨をあらわす「読み上げ」の三種類のいずれかが保存される。
【００３７】
また、情報種別の内容に応じて、適用される音声データの識別情報の内容が設定される。すなわち、情報種別が「登録音声」の場合には、音声データの識別情報の内容は、「登録音声番号」であり、情報種別が「録音」の場合には、音声データの識別情報の内容は、「録音データ番号」であり、情報種別が「読み上げ」の場合には、音声データの識別情報の内容は、「読み上げデータ番号」である。
【００３８】
登録音声データは、同図（ｂ）に示す登録音声データテーブルに格納される。この登録音声データテーブルは、所定個数ＫＡの登録音声データが格納されており、おのおのの登録音声データは、同図（ｃ）に示すように、当該登録音声データを識別するための登録音声番号、再生時間をあらわす時間、および、音声データからなる。
【００３９】
録音データは、同図（ｄ）に示す録音データテーブルに格納される。この録音データテーブルは、当該録音データテーブルに含まれる情報数をあらわす登録数（ｋ）、および、ｋ個の録音データからなる。おのおのの録音データは、当該録音データを識別するための録音データ番号、当該録音データの再生時間をあらわす時間、および、録音された音声データである録音データからなる。
【００４０】
読み上げデータは、同図（ｆ）に示す読み上げデータテーブルに格納される。この読み上げデータテーブルは、当該読み上げデータテーブルに含まれる情報数をあらわす登録数（ｌ）、および、ｌ個の読み上げデータからなる。おのおのの読み上げデータは、当該読み上げデータを識別するための読み上げデータ番号、および、入力された読み上げ文字列情報からなる。
【００４１】
以上の構成で、ユーザが、ネットワークファクシミリ装置ＦＸに対して、画データを登録する際、図５に示したような動作が行われる。
【００４２】
まず、ユーザは、操作表示部７を適宜に操作して、「参照画データの登録操作」を行う旨を指定する。これにより、ネットワークファクシミリ装置ＦＸは、操作表示部７に、読取原稿をセットする旨、および、当該画データが受信画像に含まれる場合に音声応答機能を使用するか否かの指定と、使用する場合の応答音声の種別の指定を要求する旨を含む参照情報登録ガイダンスメッセージを表示する（処理１０１）。
【００４３】
それにより、ユーザは、登録する参照画データが記録されている読取原稿をスキャナ５にセットし、音声応答機能を使用するか否かを入力し、転送先の電子メールアドレスを入力する。また、音声応答機能を使用する旨を入力した場合には、そのときに応答する音声の種別も入力する。
【００４４】
これにより、ネットワークファクシミリ装置ＦＸは、スキャナ５により読取原稿の画像を読み取り（処理１０２）、ユーザに、そのときの読取原稿の画像から、登録する画データが含まれる領域を指定させ、その指定された領域の画データを抽出し、参照画データ（図３（ｄ）参照）を作成して、参照画データテーブルに登録する（処理１０３）。なお、画データの領域の指定方法は、例えば、操作表示部７に読取画像を表示して、その表示内容からユーザに登録する領域を指定させたり、登録する矩形領域の４点の座標を入力する等の方法を適用することができる。
【００４５】
次いで、応答音声機能として、「録音」が指定されたか、「読み上げ」が指定されたか、「登録音声」が指定されたか、あるいは、使用しない旨が指定されたかを調べる（判断１０４，１０５，１０６）。
【００４６】
応答音声機能として「録音」が指定された場合で、判断１０４の結果がＹＥＳになるときには、例えば、「開始」ボタンと「終了」ボタンを表示するとともに、「『開始ボタン』を押して録音を開始します。録音を終了する場合には『終了ボタン』を押します」という録音ガイダンスメッセージを表示し、開始ボタンが押された直後から終了ボタンが押された直後まで、録音再生部１４により録音動作を行わせる（処理１０７）。
【００４７】
そして、録音した音声データに基づいて録音データ（図４（ｅ）参照）を作成し、録音データテーブルへ追加登録する（処理１０８）。
【００４８】
また、応答音声機能として「読み上げ」が指定された場合で、判断１０５の結果がＹＥＳになるときには、例えば、「読み上げる文字列を入力してください」という入力ガイダンスメッセージを表示して、ユーザに文字列を入力させ（処理１０９）、そのときに入力された文字列に基づいて読み上げデータ（図４（ｇ）参照）を作成し、読み上げデータテーブルへ追加登録する（処理１１０）。
【００４９】
また、応答音声機能として「登録音声」が指定された場合で、判断１０６の結果がＹＥＳになるときには、例えば、「応答する音声番号を入力してください」という登録音声ガイダンスメッセージを表示し、ユーザに登録音声番号を入力させる（処理１１１）。
【００５０】
このようにして、応答音声機能についての入力項目の入力が終了すると、それぞれの入力に応じて応答音声情報（図４（ａ）参照）を作成して、保存する（処理１１２）。
【００５１】
次いで、転送先の電子メールアドレスの入力を要求する旨の表示、および、適宜な入力欄を表示して、ユーザに対して、転送先の電子メールアドレスを入力させる（処理１１３）。
【００５２】
そして、処理１０３で作成した参照画データを指定する参照画データ番号、処理１１２で作成した応答音声情報、および、処理１１３で入力した転送先の電子メールアドレスに基づいて、参照情報を作成し、参照情報テーブルに追加登録する（処理１１４）。
【００５３】
図６は、アナログ公衆回線網ＰＳＴＮから着信検出して、グループ３ファクシミリ伝送手順のファクシミリ受信動作を行うときの処理の一例を示している。
【００５４】
着信検出すると（処理２０１）、着信応答し（処理２０２）、所定のグループ３ファクシミリ伝送手順に従った画情報受信手順を行って、そのときに受信した画情報を磁気ディスク装置９に保存する（処理２０３）。画情報受信を終了すると、回線を復旧する。
【００５５】
次いで、受信した画情報の１ページ目を復号化して元の画データを作成する（処理２０５）。次に、参照情報テーブルから参照情報を１つ選択し（処理２０６）、選択した参照情報の参照画データ番号に従って、参照画データを探し出して、その参照画データの画データを読み込む（処理２０７）。そして、処理２０７で読み込んだ画データが、処理２０５で作成した１ページ目の画データのいずれかの部分に含まれるかどうかを照合する処理を行う（処理２０８）。この照合処理（処理２０８）では、参照画データの領域の大きさで、１ページ目の画データから判定領域を抽出し、その判定領域内で参照画データと一致する部分が、例えば、８０％以上あった場合には、当該参照画データが１ページ目の画データに含まれていたと判断する。また、判定領域の抽出は、１ページ目の画データの全ての領域について行う。例えば、判定領域の左上の点が１ページ目の画データの左点に一致する状態で開始し、所定画素数だけ副走査方向へずらしていき、判定領域の右辺が１ページ目の画データの右辺に一致すると、所定画素数だけ主走査方向へずらし、再度副走査方向への判定領域の移動を行う。これを繰り返し、判定領域の下辺が１ページ目の画データの下辺近傍に一致した状態で、副走査方向への移動が完了した時点で、１ページ目の画データの判定領域の抽出を終了する。
【００５６】
この照合処理（処理２０８）で一致すると判断されたかどうかを調べ（判断２０９）、判断２０９の結果がＮＯになるときには、参照情報の全てについて処理を行ったかどうかを調べ（判断２１０）、判断２１０の結果がＮＯになるときには、処理２０６へ戻り、残りの参照情報について処理を行う。
【００５７】
また、全ての参照情報についての照合を行っても登録された画データが見つからなかった場合で、判断２１０の結果がＹＥＳになるときには、そのときの受信画像を記録出力して（処理２１１）、このときの動作を終了する。
【００５８】
また、いずれかの参照情報について、登録された画データが一致した場合で、判断２０９の結果がＹＥＳになるときには、そのときに選択している参照情報の応答音声情報を調べて、使用フラグがセットされているかどうかを調べ（判断２１２）、判断２１２の結果がＹＥＳになるときには、応答音声情報の登録内容に応じた音声応答動作を、録音再生部１４を用いて行う（処理２１３）。
【００５９】
次いで、そのときに選択している参照情報の転送先電子メールアドレスを取り出して、当該電子メールアドレスを宛先とし、そのときに受信した画情報を運ぶ本文情報を持つ電子メールを作成し（処理２１４）、その作成した電子メールを送信する（処理２１５）。
【００６０】
このようにして、本実施例では、画情報受信時、１ページ目の画データに、参照情報に登録されている画データが含まれている場合、当該参照情報に登録されている転送先へ電子メールを用いて受信画情報を転送するようにしているので、柔軟な転送動作を行うことができる。
【００６１】
例えば、あらかじめ文書の種類に対応した書式が設定されている場合、当該書式の特徴部分（例えば、表題部分等）の画像を参照情報として登録しておけば、それぞれの書式の画情報を受信したときに、おのおのの書式の文書を処理すべき担当者へ、受信画情報を転送することができるので、柔軟な仕分け動作を実現することができ、ネットワークファクシミリ装置ＦＸのユーザの負担を軽減することができるとともに、ネットワークファクシミリ装置ＦＸの可用性が向上する。
【００６２】
なお、上述した実施例では、受信画情報の１ページ目の画データのみについて、照合処理を行っているが、それぞれのページ毎に照合処理を行うようにすることもできる。
【００６３】
また、参照画データの領域を、矩形領域としているが、この領域の形状は任意に設定することができる。例えば、書式のオーバーレイ枠を規定できる場合、当該オーバーレイ枠の領域を適用することができる。また、参照画データとしては、表題の部分や、印章の部分などの小さい画像領域のみならず、より大きいサイズの画像領域を設定することもできる。
【００６４】
また、本実施例では、ネットワークファクシミリ装置ＦＸに本発明を適用した場合について説明したが、それ以外の適宜な通信装置についても、本発明を同様にして適用することができる。
【図面の簡単な説明】
【００６５】
【図１】本発明の一実施例にかかるネットワークシステムを示したブロック図。
【図２】ネットワークファクシミリ装置ＦＸの構成例を示したブロック図。
【図３】参照情報テーブル、参照情報、参照画データテーブル、および、参照画データの一例を示した概略図。
【図４】応答音声情報、登録音声データテーブル、登録音声データ、録音データテーブル、録音データ、読み上げデータテーブル、および、読み上げデータの一例を示した概略図。
【図５】ネットワークファクシミリ装置ＦＸに対して、ユーザが画データを登録する際の動作の一例を示したフローチャート。
【図６】アナログ公衆回線網ＰＳＴＮから着信検出して、グループ３ファクシミリ伝送手順のファクシミリ受信動作を行うときの処理の一例を示したフローチャート。
【符号の説明】
【００６６】
ＦＸ  ネットワークファクシミリ装置
１  システム制御部
２  システムメモリ
３  パラメータメモリ
７  操作表示部
９  磁気ディスク装置
１４  録音再生部
【図１】
2005341331.tif 000003
【図２】
2005341331.tif 000004
【図３】
2005341331.tif 000005
【図４】
2005341331.tif 000006
【図５】
2005341331.tif 000007
【図６】
2005341331.tif 000008